(57)【特許請求の範囲】
【請求項１】
いずれかのダウンリンクサブフレーム内の少なくとも一部を、無線端末への下りユーザデータを周期的に送信するための第１のリソースとして決定し、切替サブフレーム内のアップリンクパートの少なくとも一部、またはアップリンクサブフレームの一部を、前記無線端末が第１のサウンディングレファレンス信号を周期的に送信するための第２のリソースとして決定するリソース決定部と、
前記決定した第２のリソースを前記無線端末に通知するリソース通知部と、
前記第１のリソースの決定後、前記無線端末から前記第１のサウンディングレファレンス信号を受信するまでは、前記無線端末から受信した上りユーザデータに含まれる第２のサウンディングレファレンス信号に基づいて、前記無線端末との間の伝送路の状態を推定し、前記第１のサウンディングレファレンス信号を受信してからは、前記第１のサウンディングレファレンス信号に基づいて、前記無線端末との間の伝送路の状態を推定する伝送路状態推定部と、
前記推定した伝送路の状態に基づいて前記複数のアンテナの指向性を形成して、前記第１のリソースを通じて前記下りユーザデータを送信する送信部とを備えた、無線基地局。
【請求項２】
前記リソース決定部は、いずれかのアップリンクサブフレーム内の少なくとも一部を、前記無線端末が、前記第２のサウンディングレファレンス信号を含む上りユーザデータを所定の期間送信するための第３のリソースとして決定し、
前記リソース通知部は、前記決定した第３のリソースを前記無線端末に通知する、請求項１記載の無線基地局。
【請求項３】
前記無線基地局は、ＬＴＥ(Long Term Evolution）方式の通信システムにおける無線基地局であり、
前記アップリンクパートは、ＵｐＰＴＳ（Uplink Pilot Timeslot）である、請求項２記載の無線基地局。
【請求項４】
前記無線基地局は、
前記リソース決定部は、Uplink-downlink configurationが「１」のフレーム構成に従って、前記第１のリソース、前記第２のリソース、および前記第３のリソースを決定する、請求項３記載の無線基地局。
【請求項５】
いずれかのダウンリンクサブフレーム内の少なくとも一部を、無線端末への下りユーザデータを周期的に送信するための第１のリソースとして決定し、切替サブフレーム内のアップリンクパートの少なくとも一部、またはアップリンクサブフレームの一部を、前記無線端末が第１のサウンディングレファレンス信号を周期的に送信するための第２のリソースとして決定するステップと、
前記決定した第２のリソースを前記無線端末に通知するステップと、
前記第１のリソースの決定後、前記無線端末から前記第１のサウンディングレファレンス信号を受信するまでは、前記無線端末から受信した上りユーザデータに含まれる第２のサウンディングレファレンス信号に基づいて、前記無線端末との間の伝送路の状態を推定し、前記第１のサウンディングレファレンス信号を受信してからは、前記第１のサウンディングレファレンス信号に基づいて、前記無線端末との間の伝送路の状態を推定するステップと、
前記推定した伝送路の状態に基づいて前記複数のアンテナの指向性を形成して、前記第１のリソースを通じて前記下りユーザデータを送信するステップとを備えた、無線通信方法。
【発明の詳細な説明】
【技術分野】
【０００１】
本発明は、無線基地局および無線通信方法に関し、特に、サウンディング信号に基づいて伝送路状態を推定する無線基地局および無線通信方法に関する。
【背景技術】
【０００２】
３ＧＰＰ（3rd Generation Partnership Project）にて仕様が策定されているＬＴＥ方式などの無線通信システムでは、無線端末がを無線基地局へレファレンス信号を送信する。無線基地局は、受信したレファレンス信号に基づいて、伝送路の状態を推定し、下りユーザデータのアンテナの指向性を形成する。
【０００３】
レファレンス信号を送信する方法には、無線端末が上りユーザデータに埋め込まれるＤＲＳ（Demodulation Reference Signal：復調レファレンス信号）を送信する方法と、無線端末が切替サブフレームのＵｐＰＴＳ（アップリンクパート）の一部、またはアップリンクサブフレームの一部（たとえば、最後のシンボル）でＳＲＳ（Sounding Reference Signal:サウンディングレファレンス信号）を送信する方法とがある（たとえば、特許文献１を参照）。
【先行技術文献】
【特許文献】
【０００４】
【特許文献１】特開２０１０−２８１９２号公報
【発明の概要】
【発明が解決しようとする課題】
【０００５】
ところで、レファレンス信号としてＤＲＳを送信する方法では、無線基地局が下りユーザデータを送信する無線リソースを決定してから、無線基地局が実際にその無線リソースを用いて下りユーザデータを送信するまでの時間が短いという利点がある。しかしながら、すべての無線端末において、上りユーザデータの送信に使用できる貴重な無線リソースをＤＲＳの送信のためだけに使用してしまう場合があり、無線リソースを浪費するという問題がある。
【０００６】
一方、レファレンス信号としてＳＲＳを送信する方法では、ＳＲＳを上りユーザデータに埋め込んで送信しないので、無線リソースの浪費を回避できる。しかしながら、無線基地局が下りユーザデータの無線リソースを決定してから、無線基地局が実際にその無線リソースを用いて下りユーザデータを送信するまでの時間が長いという問題がある。
【０００７】
それゆえに、本発明の目的は、無線リソースの浪費を回避し、かつ、下りユーザデータの無線リソースを決定してから、実際にその無線リソースを用いて下りユーザデータを送信するまでの時間を短くすることができる無線基地局および無線通信方法を提供することである。
【課題を解決するための手段】
【０００８】
本発明は、いずれかのダウンリンクサブフレーム内の少なくとも一部を、無線端末への下りユーザデータを周期的に送信するための第１のリソースとして決定し、切替サブフレーム内のアップリンクパートの少なくとも一部、またはアップリンクサブフレームの一部を、無線端末が第１のサウンディングレファレンス信号を周期的に送信するための第２のリソースとして決定するリソース決定部と、決定した第２のリソースを無線端末に通知するリソース通知部と、第１のリソースの決定後、無線端末から第１のサウンディングレファレンス信号を受信するまでは、無線端末から受信した上りユーザデータに含まれる第２のサウンディングレファレンス信号に基づいて、無線端末との間の伝送路の状態を推定し、第１のサウンディングレファレンス信号を受信してからは、第１のサウンディングレファレンス信号に基づいて、無線端末との間の伝送路の状態を推定する伝送路状態推定部と、推定した伝送路の状態に基づいて複数のアンテナの指向性を形成して、第１のリソースを通じて下りユーザデータを送信する送信部とを備える。
【０００９】
好ましくは、リソース決定部は、いずれかのアップリンクサブフレーム内の少なくとも一部を、無線端末が、第２のサウンディングレファレンス信号を含む上りユーザデータを所定の期間送信するための第３のリソースとして決定し、リソース通知部は、決定した第３のリソースを無線端末に通知する。
【００１０】
好ましくは、無線基地局は、ＬＴＥ(Long Term Evolution）方式の通信システムにおける無線基地局であり、アップリンクパートは、ＵｐＰＴＳ（Uplink Pilot Timeslot）である。
【００１１】
好ましくは、リソース決定部は、Uplink-downlink configurationが「１」のフレーム構成に従って、第１のリソース、第２のリソース、および第３のリソースを決定する。
【００１２】
本発明は、いずれかのダウンリンクサブフレーム内の少なくとも一部を、無線端末への下りユーザデータを周期的に送信するための第１のリソースとして決定し、切替サブフレーム内のアップリンクパートの少なくとも一部、またはアップリンクサブフレームの一部を、無線端末が第１のサウンディングレファレンス信号を周期的に送信するための第２のリソースとして決定するステップと、決定した第２のリソースを無線端末に通知するステップと、第１のリソースの決定後、無線端末から第１のサウンディングレファレンス信号を受信するまでは、無線端末から受信した上りユーザデータに含まれる第２のサウンディングレファレンス信号に基づいて、無線端末との間の伝送路の状態を推定し、第１のサウンディングレファレンス信号を受信してからは、第１のサウンディングレファレンス信号に基づいて、無線端末との間の伝送路の状態を推定するステップと、推定した伝送路の状態に基づいて複数のアンテナの指向性を形成して、第１のリソースを通じて下りユーザデータを送信するステップとを備える。
【発明の効果】
【００１３】
本発明によれば、
【図面の簡単な説明】
【００１４】
【図１】本発明の実施形態の無線通信システムの構成を表わす図である。
【図２】本発明の実施形態の無線基地局の構成を表わす図である。
【図３】本発明の実施形態の無線端末の構成を表わす図である。
【図４】本発明の実施形態の無線通信システムで伝送されるフレームの構成を表わす図である。
【図５】本発明の実施形態のタイミングを説明するための図である。
【図６】レファレンス信号としてＤＲＳを送信する方法のタイミングを説明するための図である。
【図７】レファレンス信号としてＳＲＳを送信する方法のタイミングを説明するための図である。
【図８】本発明の実施形態の無線通信システムの動作手順を表わすフローチャートである。
【発明を実施するための形態】
【００１５】
以下、本発明の実施形態について図面を参照して説明する。
（無線通信システムの構成）
図１は、本発明の実施形態の無線通信システムの構成を表わす図である。
【００１６】
図１を参照して、この無線通信システムは、ＬＴＥ(Long Term Evolution）方式の通信システムであって、複数の無線基地局Ａ，Ｂ，Ｃが、それぞれ図中の円で示される自局のゾーン内の無線端末と通信する。これらの複数の無線基地局Ａ，Ｂ，Ｃは同一のタイミングで上りの信号を受信し、下りの信号を送信する。
【００１７】
（無線基地局の構成）
図２は、本発明の実施形態の無線基地局の構成を表わす図である。
【００１８】
図２を参照して、この無線基地局１は、複数のアンテナ２，３と、送信部４と、受信部５と、下りユーザデータ管理部６と、上りユーザデータ管理部１０と、ＳＲＳ管理部１３と、リソース決定部７と、リソース通知部８と、伝送路状態推定部９と、ネットワーク通信部１１とを備える。
【００１９】
送信部４は、複数のアンテナ２，３を通じて、下りユーザデータ、およびＲＲＣ（Radio Resource Control：無線リソース管理）接続再設定メッセージ、上りユーザデータ／下りユーザデータ割当メッセージなどの制御信号を無線端末へ送信する。送信部４は、伝送路状態推定部９で推定したサブキャリアごとの伝送路の状態に基づいて、複数のアンテナ２，３の指向性を形成して、下りユーザデータを送信する。たとえば、送信部４は、伝送路の状態に応じて、下りユーザデータをアダプティブアレイ送信処理（重み制御）して、アンテナ２，３の指向性を形成する。ここで、アンテナの指向性を形成することには、所望の通信相手にビーム（信号を強く受信／送信する部分）を向けるビームフォーミングと、所望しない信号源の方向または干渉を与えたくない方向にヌル（信号をほとんど受信／送信しない部分）を向けるヌルステアリングとを含む。
【００２０】
受信部５は、複数のアンテナ２，３を通じて、無線端末から上りユーザデータ、およびＳＲＳ、ＲＲＣ接続再設定完了メッセージなどを含む制御信号を受信する。
【００２１】
下りユーザデータ管理部６は、ネットワーク通信部１１を通じて、図示しない制御センターから受信した下りユーザデータを保持する。
【００２２】
上りユーザデータ管理部１０は、無線端末から受信した上りユーザデータをネットワーク通信部１１を通じて、図示しない制御センターへ送信する。また、上りユーザデータ管理部１０は、受信した上りユーザデータに含まれるＤＲＳを伝送路状態推定部９に出力する。
【００２３】
ＳＲＳ管理部１３は、無線端末から受信したＳＲＳを伝送路状態推定部９に出力する。
リソース決定部７は、下りユーザデータ管理部が下りユーザデータを受けると、いずれかのダウンリンクサブフレーム内の少なくとも一部を、無線端末への下りユーザデータを周期的に送信する第１のリソースとして決定する。リソース決定部７は、切替サブフレーム内のＵｐＰＴＳ（アップリンクパート）の一部を無線端末がＳＲＳを周期的に送信する第２のリソースとして決定する。リソース決定部７は、いずれかのアップリンクサブフレームＵＬ内の少なくとも一部を、ＤＲＳを含む上りユーザデータを所定の期間周期的に送信するための第３のリソースとして決定する。
【００２４】
リソース通知部８は、決定した第１のリソースおよび第３のリソースを表わす上りユーザデータ／下りユーザデータ割当メッセージを無線端末に送信する。リソース通知部８は、決定した第２のリソースを表わすＲＲＣ接続再設定メッセージを無線端末へ送信する。リソース通知部８は、無線端末からＲＲＣ接続再設定完了メッセージを受信する。
【００２５】
伝送路状態推定部９は、ＳＲＳまたはＤＲＳに基づいての伝送路状態を推定する。
ネットワーク通信部１１は、制御センタからネットワーク１２を通じて下りユーザデータを受信する。ネットワーク通信部１１は、制御センターへネットワーク１２を通じて上りユーザデータを送信する。
【００２６】
(無線端末の構成）
図３は、本発明の実施形態の無線端末の構成を表わす図である。
【００２７】
図３を参照して、この無線端末５１は、複数のアンテナ５２，５３と、送信部５４と、受信部５５と、ユーザデータ管理部５７と、サウンディング信号管理部５８とを備える。
【００２８】
受信部５５は、複数のアンテナ５２，５３を通じて、下りユーザデータ、およびＲＲＣ接続再設定メッセージなどの制御信号を無線基地局１へ送信する。
【００２９】
送信部５４は、複数のアンテナ５２，５３を通じて、無線基地局１へ上りユーザデータ、およびＳＲＳ、ＲＲＣ接続再設定完了メッセージなどの制御信号を送信する。
【００３０】
ユーザデータ管理部５６は、無線基地局１から受信した下りユーザデータおよび無線基地局１へ送信する上りユーザデータを保持し、管理する。
【００３１】
サウンディング信号管理部５８は、ＲＲＣ接続再設定メッセージを受信すると、ＲＲＣ接続再設定メッセージに基づいて、ＳＲＳを送信する無線リソースを割当てる。その後、サウンディング信号管理部５８は、ＲＲＣ接続再設定完了メッセージを送信する。サウンディング信号管理部５８は、割当てた無線リソースによってＳＲＳを送信する。
【００３２】
（フレームの構成）
図４は、本発明の実施形態の無線通信システムで伝送されるフレームの構成を表わす図である。
【００３３】
図４を参照して、このフレームの構成は、ＬＴＥにおける（Uplink-downlink configuration）が「１」のときの構成である。
【００３４】
図４に示すように、１フレームは、１０ｍｓの時間で伝送される。１フレームは、ハーフフレームに分割される。各ハーフフレームは、時間順に、ダウンリンクサブフレームＤＬ、切替サブフレームＳ、２つの連続するアップリンクサブフレームＵＬ、ダウンリンクサブフレームＤＬで構成される。
【００３５】
ここで、切替サブフレームＳは、ＤｗＰＴＳ（Downlink Pilot Timeslot）と、ＧＰ（Guard Period：ガード期間）と、ＵｐＰＴＳ（Uplink Pilot Timeslot：アップリンクパートとも呼ぶ）で構成される。ＵｐＰＴＳは、２シンボルで構成される。
【００３６】
（本発明の実施形態のタイミング）
図５は、本発明の実施形態のタイミングを説明するための図である。
【００３７】
図５を参照して、まず、第（Ｎ−２）フレームにおいて、無線基地局１は、第（Ｎ−１）フレーム内の所定のダウンリンクサブフレームＤＬ以降において下りユーザデータを周期的に（つまり、ハーフフレームを周期として）送信する第１のリソースと、下りユーザデータの送信先の無線端末５１において、ＤＲＳを含む上りユーザデータを周期的に所定の期間（つまり、ハーフフレームを周期として２回だけ）送信する第３のリソースと、下りユーザデータの送信先の無線端末５１において、ＳＲＳを周期的に（ハーフフレームを周期として）送信する第２のリソースとを決定する（（１）に示す）。無線基地局１は、これらの決定した第１のリソースおよび第３のリソースを表わす上りユーザデータ／下りユーザデータ割当メッセージを送信する（（２）に示す）。無線端末５１は、通知された第３のリソースでＤＲＳを含む上りユーザデータを送信する（（３）に示す）。無線基地局１は、決定した第２のリソースを表わすＲＲＣ接続再設定メッセージを送信する（（４）に示す）。
【００３８】
第（Ｎ−１）フレームにおいて、無線端末５１は、通知された第３のリソースでＤＲＳを含む上りユーザデータを送信する（（５）に示す）。
【００３９】
無線基地局１は、（３）で受信した受信したＤＲＳに基づいて、無線端末５１との間の伝送路の状態を推定する。無線基地局１は、推定した伝送路の状態に基づいて複数のアンテナの指向性を形成して、下りユーザデータを送信する（（６）に示す）。無線端末５１は、ＲＲＣ接続再設定完了メッセージを送信する（（７）に示す）。
【００４０】
第（Ｎ−１）フレームの最後のフレームと第Ｎフレームの先頭から１番目および２番目のフレームにおいて、無線基地局１は、（５）で受信した受信したＤＲＳに基づいて、無線端末５１との間の伝送路の状態を推定する。無線基地局１は、推定した伝送路の状態に基づいて複数のアンテナの指向性を形成して、下りユーザデータを送信する（（８）に示す）。
【００４１】
第Ｎフレームにおいて、無線端末５１は、ＳＲＳをＵｐＰＴＳを通じて送信する（（９）に示す）。無線基地局１は、受信したＳＲＳに基づいて、無線端末５１との間の伝送路の状態を推定する。無線基地局１は、推定した伝送路の状態に基づいて複数のアンテナの指向性を形成して、下りユーザデータを送信する（（１０）に示す）。
【００４２】
（参考１：レファレンス信号としてＤＲＳを送信する方法のタイミング）
次に、参考のため、背景技術で説明したレファレンス信号としてＤＲＳを送信する方法のタイミングを説明する。
【００４３】
図６は、レファレンス信号としてＤＲＳを送信する方法のタイミングを説明するための図である。
【００４４】
図６を参照して、まず、第（Ｎ−１）フレームにおいて、無線基地局は、第Ｎフレームでの下りユーザデータを送信するリソースと、下りユーザデータの送信先の無線端末におけるＤＲＳを含む上りユーザデータを送信するリソースを決定する（（１）に示す）。無線基地局は、これらの決定した下りユーザデータを送信するリソースおよびＤＲＳを含む上りユーザデータを送信するリソースを表わすメッセージを送信する（（２）に示す）。無線端末は、通知されたリソースでＤＲＳを含む上りユーザデータを送信する（（３）に示す）。
【００４５】
第Ｎフレームにおいて、無線基地局は、受信したＤＲＳに基づいて、無線端末との間の伝送路の状態を推定する。無線基地局は、推定した伝送路の状態に基づいて複数のアンテナの指向性を形成して、下りユーザデータを送信する（（４）に示す）。
【００４６】
（参考２：レファレンス信号としてＳＲＳを送信する方法のタイミング）
次に、背景技術で説明したレファレンス信号としてＳＲＳを送信する方法のタイミングを説明する。
【００４７】
図７は、レファレンス信号としてＳＲＳを送信する方法のタイミングを説明するための図である。
【００４８】
図７を参照して、まず、第（Ｎ−２）フレームにおいて、無線基地局は、第Ｎフレームでの下りユーザデータを送信するリソースと、下りユーザデータの送信先の無線端末におけるＳＲＳを送信するリソースを決定する（（１）に示す）。無線基地局は、決定したＳＲＳを送信するリソースを表わすＲＲＣ接続再設定メッセージを送信する（（２）に示す）。
【００４９】
第（Ｎ−１）フレームにおいて、無線基地局は、決定した下りユーザデータを送信するリソースを表わすメッセージを送信する（（３）に示す）。無線端末は、ＲＲＣ接続再設定完了メッセージを送信する（（４）に示す）。
【００５０】
第Ｎフレームにおいて、無線端末は、ＳＲＳをＵｐＰＴＳを通じて送信する（（５）に示す）。無線基地局は、受信したＳＲＳに基づいて、無線端末との間の伝送路の状態を推定する。無線基地局は、推定した伝送路の状態に基づいて複数のアンテナの指向性を形成して、下りユーザデータを送信する（（６）に示す）。
【００５１】
（動作手順）
図８は、本発明の実施形態の無線通信システムの動作手順を表わすフローチャートである。
【００５２】
図８を参照して、まず、ステップＳ１０１およびステップＳ１０２において、無線基地局１のリソース決定部７は、スケジューリングを実施する。すなわち、無線基地局１のリソース決定部７は、いずれかのダウンリンクサブフレームＤＬ内の少なくとも一部を無線端末５１への下りユーザデータを周期的に送信するための第１のリソースを決定する（ステップＳ１０１）。さらに、無線基地局１のリソース決定部７は、切替サブフレームＳのＵｐＰＴＳ内のいずれかのリソースを、無線端末５１がＳＲＳを周期的に送信する第２のリソースとして決定する。さらに、無線基地局１のリソース決定部７は、いずれかのアップリンクサブフレームＵＬ内の少なくとも一部を、無線端末５１がＤＲＳを含む上りユーザデータを周期的に送信するための第３のリソースとして決定する（ステップＳ１０２）。
【００５３】
次に、無線基地局１のリソース通知部８は、図５の（２）で示すように、決定した第１のリソースおよび第３のリソースを表わす上りユーザデータ／下りユーザデータ割当メッセージを送信する（ステップＳ１０３）。
【００５４】
次に、無線端末５１のユーザデータ管理部５７は、第１のリソースおよび第３のリソースを表わす上りユーザデータ／下りユーザデータ割当メッセージを受信する（ステップＳ１０４）。
【００５５】
次に、無線端末５１のユーザデータ管理部５７は、図５の（３）で示すように、ステップＳ１０４で通知された第３のリソースによって、ＤＲＳを含む上りユーザデータを送信する（ステップＳ１０５）。
【００５６】
次に、無線基地局１の上りユーザデータ管理部１０は、ＤＲＳを含む上りユーザデータを受信する（ステップＳ１０６）。
【００５７】
次に、無線基地局１のリソース通知部８は、図５の（４）で示すように、決定した第２のリソースを表わすＲＲＣ接続再設定メッセージを送信する（ステップＳ１０７）。
【００５８】
次に、無線端末５１のサウンディング信号管理部５８は、ＲＲＣ接続再設定メッセージを受信する（ステップＳ１０８）。
【００５９】
次に、無線端末５１のユーザデータ管理部５７は、図５の（５）で示すように、ステップＳ１０４で通知された第３のリソースによって、ＤＲＳを含む上りユーザデータを送信する（ステップＳ１０９）。
【００６０】
次に、無線基地局１の上りユーザデータ管理部１０は、ＤＲＳを含む上りユーザデータを受信する（ステップＳ１１０）。
【００６１】
次に、無線基地局１の伝送路状態推定部９は、ステップＳ１０６で受信したＤＲＳに基づいて、無線端末５１との間の伝送路の状態を推定する。無線基地局１の送信部４は、推定した伝送路の状態に基づいて、推定した伝送路の状態に基づいて複数のアンテナ２，３の指向性を形成して、図５の（６）で示すように、下りユーザデータを送信する（ステップＳ１１１）。
【００６２】
次に、無線端末５１の受信部５５は、複数のアンテナ５２，５３を通じて、下りユーザデータを受信する（ステップＳ１１２）。
【００６３】
次に、無線端末５１のサウンディング信号管理部５８は、図５の（７）で示すように、ＲＲＣ接続再設定完了メッセージを送信する（ステップＳ１１３）。
【００６４】
次に、無線基地局１のリソース通知部８は、ＲＲＣ接続再設定完了メッセージを受信する（ステップＳ１１４）。
【００６５】
次に、無線基地局１の伝送路状態推定部９は、ステップＳ１１０で受信したＤＲＳに基づいて、無線端末５１との間の伝送路の状態を推定する。無線基地局１の送信部４は、推定した伝送路の状態に基づいて、推定した伝送路の状態に基づいて複数のアンテナ２，３の指向性を形成して、図５の（８）で示すように、下りユーザデータを送信する（ステップＳ１１５）。
【００６６】
次に、無線端末５１の受信部５５は、複数のアンテナ５２，５３を通じて、下りユーザデータを受信する（ステップＳ１１６）。
【００６７】
次に、無線端末５１のサウンディング信号管理部５８は、図５の（９）で示すように、ステップＳ１０８で通知された第２のリソースによってＳＲＳを送信する（ステップＳ１１７）。
【００６８】
次に、無線基地局１のＳＲＳ管理部１３は、ＳＲＳを受信する（ステップＳ１１８）。
次に、無線基地局１の伝送路状態推定部９は、ステップＳ１１８で受信したＳＲＳに基づいて、無線端末５１との間の伝送路の状態を推定する。無線基地局１の送信部４は、推定した伝送路の状態に基づいて、推定した伝送路の状態に基づいて複数のアンテナ２，３の指向性を形成して、図５の（１０）で示すように、下りユーザデータを送信する（ステップＳ１１９）。
【００６９】
次に、無線端末５１の受信部５５は、複数のアンテナ５２，５３を通じて、下りユーザデータを受信する（ステップＳ１２０）。
【００７０】
以上のように、本発明の実施形態の無線通信システムによれば、無線基地局が、下りユーザデータを送信する第１のリソースと、ＳＲＳを受信する第２のリソースと、ＤＲＳを含む上りユーザデータを受信する第３のリソースを決定してから、ＳＲＳを受信するまでの間は、受信した上りユーザデータに含まれるＤＲＳを伝送路状態を推定するためのサウンディング信号として用い、ＳＲＳを受信してからは、受信したＳＲＳを伝送路状態を推定するためのサウンディング信号として用いる。したがって、無線リソースの浪費を回避し、かつ、下りユーザデータの無線リソースを決定してから、実際にその無線リソースを用いて下りユーザデータを送信するまでの時間を短くすることができる。
【００７１】
（変形例）
本発明は、上記の実施形態に限定されるものではなく、たとえば以下のような変形例も含む。
【００７２】
（１）  ＤＲＳ
本発明の実施形態では、無線基地局が、無線端末が、ＤＳＲを含む上りユーザデータを送信する第３のリソースを決定して、その無線端末に第３のリソースを通知することとしたが、これに限定するものではない。無線基地局が、すでにその無線端末から上りユーザデータを受信している場合には、その上りユーザデータに含まれるＤＲＳを伝送路状態の推定に用いることができるので、新たに第３のリソースを決定する必要はない。
【００７３】
（２）  ＳＲＳ
本発明の実施形態では、リソース決定部は、切替サブフレーム内のＵｐＰＴＳ（アップリンクパート）の一部を無線端末がＳＲＳを周期的に送信する第２のリソースとして決定したが、これに限定するものではない。
【００７４】
たとえば、リソース決定部は、切替サブフレーム内のＵｐＰＴＳ（アップリンクパート）の全部を無線端末がＳＲＳを周期的に送信する第２のリソースとして決定することとしてもよい。
【００７５】
また、リソース決定部は、切替サブフレーム内のまたはアップリンクサブフレームＵＬの一部（たとえば、最後のシンボル）を無線端末がＳＲＳを周期的に送信する第２のリソースとして決定することとしてもよい。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７７】
１  無線基地局、２，３，５２，５３  アンテナ、４，５４  送信部、５，５５  受信部、６  下りユーザデータ管理部、７  リソース決定部、８  リソース通知部、９  伝送路状態推定部、１０  上りユーザデータ管理部、１１  ネットワーク通信部、１２  ネットワーク，１３  ＳＲＳ管理部、５１  無線端末、５７  ユーザデータ管理部、５８  サウンディング信号管理部。
【図１】
0005596452.tif 000002
【図２】
0005596452.tif 000003
【図３】
0005596452.tif 000004
【図４】
0005596452.tif 000005
【図５】
0005596452.tif 000006
【図６】
0005596452.tif 000007
【図７】
0005596452.tif 000008
【図８】
0005596452.tif 000009